【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
情報処理装置であって、
少なくとも所定の処理を示す処理識別情報を含み、当該所定の処理の実行を要求する処理要求情報を取得する処理要求取得部と；
前記情報処理装置の位置情報を取得する位置情報取得部と；
少なくとも各々が異なる所定の処理を示す複数の処理識別情報と、当該複数の処理識別情報に対応付けられている範囲情報を含む処理データから、前記処理要求取得部により取得された前記処理要求情報に含まれる前記処理識別情報に対応付けられている範囲情報を抽出する範囲情報抽出部と；
前記処理要求情報の取得時に前記位置情報取得部により取得された位置情報が示す位置が、前記範囲情報抽出部により抽出された前記範囲情報が示す範囲に含まれるか否かを判断する判断部と；
前記位置情報の示す位置が前記範囲情報の示す範囲に含まれると前記判断部により判断された場合、前記処理要求情報に係る処理を実行する処理実行部と；
を備える、情報処理装置。
【請求項２】
前記位置情報取得部により取得された前記位置情報の示す位置を含む範囲情報が対応付けられている処理識別情報を、前記処理データから抽出する識別情報抽出部と；
前記識別情報抽出部により抽出された前記処理識別情報の表示の制御を行う表示制御部と；
を備える、請求項１に記載の情報処理装置。
【請求項３】
前記位置情報取得部により取得された前記位置情報の示す位置を含む範囲情報が対応付けられている処理識別情報を、前記処理データから抽出する識別情報抽出部と；
前記識別情報抽出部により抽出された前記処理識別情報を所定カテゴリーに分類する分類部と；
前記分類部により分類されたカテゴリーに関するカテゴリー情報の表示の制御を行う表示制御部と；
を備える、請求項１に記載の情報処理装置。
【請求項４】
前記位置情報取得部により取得された前記位置情報の示す位置が、前記範囲情報抽出部により抽出された前記範囲情報の示す範囲に含まれないと前記判断部により判断された場合、事前に設定された通知先へ前記位置情報を含む実行拒絶情報を通知する通知部と；
を備える、請求項２または３に記載の情報処理装置。
【請求項５】
前記処理識別情報には、さらに時刻範囲を示す時刻情報が対応付けられており、
前記判断部は、前記時刻情報の示す時刻範囲に現在時刻が含まれるか否かをさらに判断し、
前記処理実行部は、前記位置情報の示す位置が前記範囲情報の示す範囲に含まれ、かつ、前記時刻情報の示す時刻範囲に現在時刻が含まれると判断された場合、前記処理要求情報に係る処理を実行する、請求項１に記載の情報処理装置。
【請求項６】
顧客端末とネットワークを介して接続された情報処理装置であって：
少なくとも所定の処理を示す処理識別情報を含み、当該所定の処理の実行を要求する処理要求情報を前記顧客端末から取得する処理要求取得部と；
前記顧客端末の位置情報を前記顧客端末から取得する位置情報取得部と；
少なくとも各々が異なる所定の処理を示す複数の処理識別情報と、当該複数の処理識別情報に対応付けられた任意の範囲情報を含む処理データから、前記処理要求取得部により取得された前記処理要求情報に含まれる前記処理識別情報に対応付けられている範囲情報を抽出する範囲情報抽出部と；
前記処理要求情報の取得時に前記位置情報取得部により取得された位置情報が示す位置が、前記範囲情報抽出部により抽出された前記範囲情報が示す範囲に含まれるか否かを判断する判断部と；
前記位置情報の示す位置が前記範囲情報の示す範囲に含まれると前記判断部により判断された場合、前記処理要求情報に係る処理を実行する処理実行部と；
を備える、情報処理装置。
【請求項７】
前記位置情報取得部により取得された前記位置情報の示す位置を含む範囲情報が対応付けられている処理識別情報を、前記処理データから抽出する識別情報抽出部と；
前記識別情報抽出部により抽出された前記処理識別情報を前記顧客端末に送信する送信部と；
を備える、請求項６に記載の情報処理装置。
【請求項８】
前記位置情報取得部により取得された前記位置情報の示す位置を含む範囲情報が対応付けられている処理識別情報を、前記処理データから抽出する識別情報抽出部と；
前記識別情報抽出部により抽出された前記処理識別情報を所定カテゴリーに分類する分類部と；
前記分類部により分類されたカテゴリーに関するカテゴリー情報を前記顧客端末に送信する送信部と；
を備える、請求項６に記載の情報処理装置。
【請求項９】
前記位置情報取得部により取得された前記位置情報の示す位置が、前記範囲情報抽出部により抽出された前記範囲情報の示す範囲に含まれないと前記判断部により判断された場合、事前に設定された通知先へ前記位置情報を含む実行拒絶情報を通知する通知部と；
を備える、請求項７または８に記載の情報処理装置。
【請求項１０】
前記処理識別情報には、さらに時刻範囲を示す時刻情報が対応付けられており、
前記判断部は、前記時刻情報の示す時刻範囲に現在時刻が含まれるか否かをさらに判断し、
前記処理実行部は、前記位置情報の示す位置が前記範囲情報の示す範囲に含まれ、かつ、前記時刻情報の示す時刻範囲に現在時刻が含まれると判断された場合、前記処理要求情報に係る処理を実行する、請求項６に記載の情報処理装置。
【請求項１１】
情報処理装置に設けられるコンピュータを、
少なくとも所定の処理を示す処理識別情報を含み、当該所定の処理の実行を要求する処理要求情報を取得する処理要求取得部と；
前記情報処理装置の位置情報を取得する位置情報取得部と；
少なくとも各々が異なる所定の処理を示す複数の処理識別情報と、当該複数の処理識別情報に対応付けられている範囲情報を含む処理データから、前記処理要求取得部により取得された前記処理要求情報に含まれる前記処理識別情報に対応付けられている範囲情報を抽出する範囲情報抽出部と；
前記処理要求情報の取得時に前記位置情報取得部により取得された位置情報が示す位置が、前記範囲情報抽出部により抽出された前記範囲情報が示す範囲に含まれるか否かを判断する判断部と；
前記位置情報の示す位置が前記範囲情報の示す範囲に含まれると前記判断部により判断された場合、前記処理要求情報に係る処理を実行する処理実行部と；
として機能させるための、プログラム。
【請求項１２】
顧客端末とネットワークを介して接続された情報処理装置に設けられるコンピュータを、
少なくとも所定の処理を示す処理識別情報を含み、当該所定の処理の実行を要求する処理要求情報を前記顧客端末から取得する処理要求取得部と；
前記顧客端末の位置情報を前記顧客端末から取得する位置情報取得部と；
少なくとも各々が異なる所定の処理を示す複数の処理識別情報と、当該複数の処理識別情報に対応付けられた任意の範囲情報を含む処理データから、前記処理要求取得部により取得された前記処理要求情報に含まれる前記処理識別情報に対応付けられている範囲情報を抽出する範囲情報抽出部と；
前記処理要求情報の取得時に前記位置情報取得部により取得された位置情報が示す位置が、前記範囲情報抽出部により抽出された前記範囲情報が示す範囲に含まれるか否かを判断する判断部と；
前記位置情報の示す位置が前記範囲情報の示す範囲に含まれると前記判断部により判断された場合、前記処理要求情報に係る処理を実行する処理実行部と；
として機能させるための、プログラム。
【請求項１３】
情報処理装置において実行される情報処理方法であって：
少なくとも所定の処理を示す処理識別情報を含み、当該所定の処理の実行を要求する処理要求情報を取得するステップと；
前記情報処理装置の位置情報を取得するステップと；
少なくとも各々が異なる所定の処理を示す複数の処理識別情報と、当該複数の処理識別情報に対応付けられている範囲情報を含む処理データから、前記処理要求情報に含まれる前記処理識別情報に対応付けられている範囲情報を抽出するステップと；
前記位置情報の示す位置が、前記範囲情報の示す範囲に含まれるか否かを判断するステップと；
前記位置情報の示す位置が前記範囲情報の示す範囲に含まれると判断された場合、前記処理要求情報に係る処理を実行するステップと；
を含む、情報処理方法。
【請求項１４】
顧客端末とネットワークを介して接続された情報処理装置において実行される情報処理方法であって：
少なくとも所定の処理を示す処理識別情報を含み、当該所定の処理の実行を要求する処理要求情報を前記顧客端末から取得するステップと；
前記顧客端末の位置情報を前記顧客端末から取得するステップと；
少なくとも各々が異なる所定の処理を示す複数の処理識別情報と、当該複数の処理識別情報に対応付けられた任意の範囲情報を含む処理データから、前記処理要求情報に含まれる前記処理識別情報に対応付けられている範囲情報を抽出するステップと；
前記処理要求情報の取得時に取得された位置情報の示す位置が、抽出された前記範囲情報の示す範囲に含まれるか否かを判断するステップと；
前記位置情報の示す位置が前記範囲情報の示す範囲に含まれると判断された場合、前記処理要求情報に係る処理を実行するステップと；
を含む、情報処理方法。
【手続補正２】
【補正対象書類名】明細書
【補正対象項目名】００２６
【補正方法】変更
【補正の内容】
【００２６】
また、上記課題を解決するために、本発明の別の観点によれば、顧客端末とネットワークを介して接続された情報処理装置において実行される情報処理方法であって、少なくとも所定の処理を示す処理識別情報を含み、当該所定の処理の実行を要求する処理要求情報を前記顧客端末から取得するステップと、前記顧客端末の位置情報を前記顧客端末から取得するステップと、少なくとも各々が異なる所定の処理を示す複数の処理識別情報と、当該複数の処理識別情報に対応付けられた任意の範囲情報を含む処理データから、前記処理要求情報に含まれる前記処理識別情報に対応付けられている範囲情報を抽出するステップと、前記処理要求情報の取得時に取得された位置情報の示す位置が、抽出された前記範囲情報の示す範囲に含まれるか否かを判断するステップと、前記位置情報の示す位置が前記範囲情報の示す範囲に含まれると判断された場合、前記処理要求情報に係る処理を実行するステップと、を含む情報処理方法が提供される。